(57)【要約】【課題】表示させておきたい情報の表示形態の切り替えによる欠落を防止する。【解決手段】単位画像からディスプレイ５に表示する表示画像を抽出する表示画像抽出部１１４と、抽出した表示画像をディスプレイ５に表示する表示制御部１４と、第１表示形態で表示した表示画像の一部分を特定する指定画像特定部１２と、第１表示形態を第２表示形態に変更する表示形態設定部１１２と、第２表示形態で表示する表示画像が、第１表示形態で表示した表示画像の一部分を包含するか否かを判定する包含関係判定部１１５と、包含関係判定部１１５の判定結果に応じて第２表示形態で表示する表示画像が第１表示形態で表示した表示画像の一部分を包含するように、単位画像に対する表示画像の抽出範囲を調整する抽出範囲決定／変更手段１１３とを備え、表示制御部１４は、調整した抽出範囲で表示画像抽出部１１４が抽出した表示画像を第２表示形態でディスプレイ５に表示する。【選択図】図１
2010256832.tif 000002
【特許請求の範囲】
【請求項１】
表示画面に表示画像を表示する画像表示装置であって、
画像処理の基本単位となる単位画像から前記表示画面に表示する表示画像を抽出する画像抽出手段と、
前記画像抽出手段が抽出した表示画像を、所定の表示形態で前記表示画面に表示する表示制御手段と、
前記表示制御手段が第１表示形態で表示した表示画像の一部分を特定する画像部分特定手段と、
前記第１表示形態を第２表示形態に変更する表示形態変更手段と、
前記表示形態変更手段が変更した第２表示形態で表示する表示画像が、前記画像部分特定手段が特定した前記第１表示形態で表示した表示画像の一部分を包含するか否かを判定する包含判定手段と、
前記包含判定手段の判定結果に応じて、前記第２表示形態で表示する表示画像が、前記第１表示形態で表示した表示画像の一部分を包含するように、前記単位画像に対する前記表示画像の抽出範囲を調整する抽出範囲調整手段とを備えており、
前記表示制御手段は、前記抽出範囲調整手段が調整した抽出範囲で前記画像抽出手段が抽出した表示画像を、前記第２表示形態で前記表示画面に表示することを特徴とする画像表示装置。
【請求項２】
前記画像部分特定手段は、前記第１表示形態で表示した表示画像における一点が指定された場合に、その一点を含む所定の大きさの領域を前記表示画像の一部分とすることを特徴とする請求項１に記載の画像表示装置。
【請求項３】
前記画像部分特定手段は、前記第１表示形態で表示した表示画像の一部の領域が指定された場合に、その一部の領域を前記表示画像の一部分とすることを特徴とする請求項１又は２に記載の画像表示装置。
【請求項４】
前記画像部分特定手段は、前記第１表示形態で表示した表示画像に含まれるオブジェクト上の一点又は前記オブジェクトの近傍の一点が指定された場合に、そのオブジェクトを含む領域を前記表示画像の一部分とすることを特徴とする請求項１から３までのいずれか１項に記載の画像表示装置。
【請求項５】
前記第１表示形態で表示した表示画像において前記表示画面に対する前記単位画像の回転中心を指定する回転中心指定手段を備えており、
前記画像抽出手段は、前記回転中心指定手段が前記第１表示形態で表示した表示画像において指定した回転中心を中心として前記単位画像を回転させた後の画像から、前記第２表示形態で表示する表示画像を抽出することを特徴とする請求項１から４までのいずれか１項に記載の画像表示装置。
【請求項６】
前記回転中心指定手段が前記第１表示形態で表示した表示画像において前記回転中心を指定した場合に、その回転中心を含む所定の大きさの領域を前記表示画像の一部分とすることを特徴とする請求項５に記載の画像表示装置。
【請求項７】
前記抽出範囲調整手段は、前記単位画像に対する前記表示画像の抽出範囲の位置を調整することを特徴とする請求項１から６までのいずれか１項に記載の画像表示装置。
【請求項８】
前記抽出範囲調整手段は、前記単位画像に対する前記表示画像の抽出範囲の大きさを調整することを特徴とする請求項１から７までのいずれか１項に記載の画像表示装置。
【請求項９】
前記抽出範囲の大きさを調整する場合の最小閾値及び最大閾値の少なくとも一方が設定されていることを特徴とする請求項８に記載の画像表示装置。
【請求項１０】
前記表示画面において前記表示画像が表示される表示領域を設定する表示領域設定手段を備えていることを特徴とする請求項１〜９までのいずれか１項に記載の画像表示装置。
【請求項１１】
請求項１から１０までのいずれか１項に記載の画像表示装置における各手段としてコンピュータを動作させるための画像表示プログラム。
【請求項１２】
請求項１１に記載の画像表示プログラムを記録したコンピュータ読み取り可能な記録媒体。
【請求項１３】
表示画面を用いた画像表示方法であって、
画像処理の基本単位となる単位画像から前記表示画面に表示する表示画像を抽出する第１画像抽出ステップと、
前記第１画像抽出ステップで抽出した表示画像を、第１表示形態で前記表示画面に表示する第１表示ステップと、
前記第１表示ステップで、前記第１表示形態で表示した表示画像の一部分を特定する画像部分特定ステップと、
前記第１表示形態を第２表示形態に変更する表示形態変更ステップと、
前記表示形態変更ステップで変更した第２表示形態で表示する表示画像が、前記画像部分特定ステップで特定した前記第１表示形態で表示した表示画像の一部分を包含するか否かを判定する包含判定ステップと、
前記包含判定ステップの判定結果に応じて、前記第２表示形態で表示する表示画像が、前記第１表示形態で表示した表示画像の一部分を包含するように、前記単位画像に対する前記表示画像の抽出範囲を調整する抽出範囲調整ステップと、
前記抽出範囲調整ステップで調整した抽出範囲で前記単位画像から表示画像を抽出する第２表示画像抽出ステップと、
前記第２表示画像抽出ステップで抽出した表示画像を前記第２表示形態で前記表示画面に表示する第２表示ステップとを含んでいることを特徴とする画像表示方法。
【発明の詳細な説明】
【技術分野】
【０００１】
本発明は、複数の表示形態で表示画像を表示する画像表示装置、画像表示プログラム、コンピュータ読み取り可能な記録媒体及び画像表示方法に関するものである。
【背景技術】
【０００２】
従来、２つ折りに折り畳み可能な２つの筐体部を備え、一方の筐体部が他方の筐体部に対して回転可能な携帯端末が知られている。また、この携帯端末は、一方の筐体部に表示部を設け、他方の筐体部に操作部を備えている。
【０００３】
この携帯端末の表示部は、通常、他方の筐体部に対する一方の筐体部の向きに応じてレイアウト比の異なる縦画面表示と、横画面表示との少なくとも２つの表示形態を切り替えることが可能となっている。
【０００４】
また、縦画面表示を他方の筐体部に対して一方の筐体部を時計周り又は反時計まわりに１８０度回転させたときに反転表示させたり、他方の筐体部に対して一方の筐体部を時計周りに９０度回転させたときの横画面表示を、反時計周りに９０度回転させたときに反転表示させたりする表示形態を備えたものも存在している。
【０００５】
さらに、表示部の全領域を複数の表示領域に分割し、分割されたそれぞれの表示領域に異なる画像を表示させる表示形態を備えたものもある。
【０００６】
また、表示部に大きさの異なる複数の表示領域を設定できるように構成し、これらの表示領域のうち、一方から他方への切り替えを可能にした表示形態を備えたものもある。
【０００７】
また、表示部の一部の表示領域を第１のアプリケーションソフト用とし、残りの表示領域を第２のアプリケーションソフト用として、複数のアプリケーションソフトを利用できるようにしたものも存在している。
【０００８】
このように、近年、携帯端末は、各筐体部の向きの変化等に応じて複数の表示形態を切り替えるものが広く普及しつつある。
【０００９】
このような携帯端末に関する従来技術として特許文献１に開示された電子機器がある。
【００１０】
この特許文献１に開示された電子機器は、回転及び／又は開閉可能な筐体部に表示機能を備え、筐体部の回転及び／又は開閉に応じて表示部に表示される縦画面表示又は横画面表示に対応する画面レイアウトに変更する制御部とを備えている。
【００１１】
この電子機器は、以上のような構成を備えることにより、表示形態の切り替えに対応して各画面のレイアウトの最適化を図ることで、表示画面の視認性や機能性を向上させている。
【先行技術文献】
【特許文献】
【００１２】
【特許文献１】特開２００８−７６８５３号公報（２００８年４月３日公開）
【発明の概要】
【発明が解決しようとする課題】
【００１３】
しかしながら、前記従来の特許文献１に開示された電子機器では、縦画面表示又は横画面表示に対応する画面レイアウトに変更することで、一方の表示形態から他方の表示形態に変更したときの情報の欠落を防いでいるが、例えば、ディスプレイサイズを超える大きな画像の場合には対応できないという問題点がある。
【００１４】
また、特許文献１に開示された電子機器では、所定のアスペクト比を有する１つのディスプレイにおける縦画面表示と横画面表示しか考慮されていないので、切り替え前の表示領域のアスペクト比と、切り替え後の表示領域のアスペクト比とが異なる場合にも、表示領域の切り替えにより、表示させておきたい情報が欠落してしまう可能性がある。
【００１５】
また、表示部に大きさの異なる複数の表示領域を設定できるように構成した携帯端末では、切り替えた表示領域のサイズによっては、切り替え前の表示領域に表示された表示画像に含まれている表示させておきたい情報が、切り替え後の表示領域に表示される表示画像から欠落してしまうという問題点がある。
【００１６】
以上のように表示形態の切り替えにより、表示させておきたい情報の欠落が生じた場合、表示形態の切り替え後に、ユーザが画像の表示範囲を変更する等の操作を行って、欠落した情報を再度表示させる必要がある。
【００１７】
このため、操作ミス等により、表示形態の切り替え後に欠落した情報と、表示画面に表示中の表示画像とのデータ上の距離が大きく広がってしまったような場合、欠落した情報を探し出すのに大変な手間がかかってしまうという問題点もある。
【００１８】
本発明は、前記従来の問題点に鑑みなされたものであって、その目的は、表示させておきたい情報の表示形態の切り替えによる欠落を防止することができる画像表示装置などを提供することにある。
【課題を解決するための手段】
【００１９】
本発明の画像表示装置は、前記課題を解決するために、表示画面に表示画像を表示する画像表示装置であって、画像処理の基本単位となる単位画像から前記表示画面に表示する表示画像を抽出する画像抽出手段と、前記画像抽出手段が抽出した表示画像を、所定の表示形態で前記表示画面に表示する表示制御手段と、前記表示制御手段が第１表示形態で表示した表示画像の一部分を特定する画像部分特定手段と、前記第１表示形態を第２表示形態に変更する表示形態変更手段と、前記表示形態変更手段が変更した第２表示形態で表示する表示画像が、前記画像部分特定手段が特定した前記第１表示形態で表示した表示画像の一部分を包含するか否かを判定する包含判定手段と、前記包含判定手段の判定結果に応じて、前記第２表示形態で表示する表示画像が、前記第１表示形態で表示した表示画像の一部分を包含するように、前記単位画像に対する前記表示画像の抽出範囲を調整する抽出範囲調整手段とを備えており、前記表示制御手段は、前記抽出範囲調整手段が調整した抽出範囲で前記画像抽出手段が抽出した表示画像を、前記第２表示形態で前記表示画面に表示することを特徴とする。
【００２０】
前記構成によれば、画像抽出手段は、画像処理の基本単位となる単位画像から表示画面に表示する表示画像を抽出し、表示制御手段は、前記画像抽出手段が抽出した表示画像を、所定の表示形態で前記表示画面に表示するようになっている。
【００２１】
これにより、単位画像から抽出された表示画像を前記表示画面に表示させることができる。
【００２２】
前記構成によれば、画像部分特定手段は、前記表示制御手段が第１表示形態で表示した表示画像の一部分を特定するようになっている。
【００２３】
これにより、例えば、ユーザが表示させておきたいと考える情報の近傍を指定し、指定された近傍から表示画像の一部分を特定するようにすれば、ユーザが表示させておきたいと考える情報を含む表示画像の一部分を特定することができる。
【００２４】
また、表示形態変更手段は、前記第１表示形態を第２表示形態に変更し、包含判定手段は、前記表示形態変更手段が変更した第２表示形態で表示する表示画像が、前記画像部分特定手段が特定した前記第１表示形態で表示した表示画像の一部分を包含するか否かを判定するようになっている。
【００２５】
これにより、第１表示形態で表示された表示画像上で特定された表示画像の一部分を、第２表示形態で表示する表示画像が包含するか否かを判別することができる。
【００２６】
前記構成によれば、抽出範囲調整手段は、前記包含判定手段の判定結果に応じて、前記第２表示形態で表示する表示画像が、前記第１表示形態で表示した表示画像の一部分を包含するように、前記単位画像に対するから前記表示画像の抽出範囲を調整し、前記表示制御手段は、前記抽出範囲調整手段が調整した抽出範囲で前記画像抽出手段が抽出した表示画像を、前記第２表示形態で前記表示画面に表示するようになっている。
【００２７】
これにより、包含判定手段の判定結果に応じて、第２表示形態で表示する表示画像が、第１表示形態で表示した表示画像の一部分を包含するように調整した抽出範囲で抽出した表示画像を第２表示形態で表示画面に表示することができる。
【００２８】
以上によれば、例えば、ユーザが表示させておきたいと考える情報を含む表示画像の一部分を第２表示形態で表示画面に表示することができる。
【００２９】
よって、表示させておきたい情報の表示形態の切り替えによる欠落を防止することができる。
【００３０】
また、副次的効果として、表示形態の変更後に欠落した情報と、表示画面に表示中の表示画像とのデータ上の距離が大きく広がってしまうことを防止することができるので、欠落した情報を探し出すのも容易である。
【００３１】
なお、「表示画面」の例としては、ＣＲＴ（cathode-ray tube）、液晶ディスプレイ、電気泳動型ディスプレイ、ツイストボール型ディスプレイ、微細なプリズムフィルムを用いた反射型ディスプレイ、デジタルミラーデバイス等の光変調素子を用いたディスプレイの他、発光素子として、有機ＥＬ発光素子、無機ＥＬ発光素子、ＬＥＤ（Light Emitting Diode）等の発光輝度が可変の素子を用いたディスプレイ、フィールドエミッションディスプレイ（ＦＥＤ）、プラズマディスプレイなどの表示画面が例示できる。
【００３２】
「単位画像」は、１ファイル、１フレーム及び１ページの画像など画像処理の基本単位となる画像のことであり、アナログ画像とデジタル画像の双方を含み、静止画像、動画像の１フレーム画像を含む。例えば、コンテンツ画像、アプリケーションソフトによる画像、メールやワープロソフトなどによるテキスト文書のページング形式の画像、Ｗｅｂページの画像、デジタルカメラのプレビュー画像などが例示できる。
【００３３】
また、「単位画像」は、複数のファイルに分割された画像（分割画像）であっても良い。この場合は、複数の分割画像を結合した結合画像を１つの単位画像とみなして処理すれば、良い。
【００３４】
「抽出」とは、単位画像から、その画像の一部のデータを引き出すことである。
【００３５】
「抽出範囲」とは、表示画像が抽出される単位画像上の範囲のことである。
【００３６】
「調整」は、抽出範囲を全く変更しない場合も含む。すなわち、包含判定手段が第２表示形態で表示する表示画像が、第１表示形態で表示した表示画像の一部分を包含すると判定した場合には、抽出範囲調整手段は、抽出範囲を全く変更しなくても良い。
【００３７】
一方、包含判定手段が第２表示形態で表示する表示画像が、第１表示形態で表示した表示画像の一部分を包含しないと判定した場合には、抽出範囲調整手段は、抽出範囲を必ず変更する。
【００３８】
「表示画像の一部分」は、表示画像上における所定の大きさの領域のみならず表示画像上の一点も含む。
【００３９】
「表示形態」の例としては、表示画面に対して単位画像を任意の角度で回転させたときの画像表示、単位画像のレイアウトサイズを任意に変更したときの画像表示、アスペクト比が１でないディスプレイにおける縦画面表示や横画面表示、単位画像のアスペクト比を任意に変更した画像表示、表示画面上に設定される表示領域のアスペクト比を任意に変更した画像表示、表示領域のサイズを任意に変更した画像表示などの様々な表示形態が列挙できる。
【００４０】
「レイアウト」とは、表示要素が２次元または３次元の空間座標上に、位置とサイズ、外形の属性をもって配置されること、あるいは配置されたもののことを言う。位置やサイズは、通常は何らかの単位を使った値として表現される。例えば、画素の集まりからなる表示画面に表示する場合は、一般に（画素）ドットの単位で表現される。
【００４１】
「レイアウトサイズ」とは、単位画像の単位画素に含まれるピクセル（画素）数やドット数を増減して単位画像を標本化の間隔を変更してレイアウトするときの単位画像のサイズのことである。
【００４２】
単位画素に含まれるピクセル数やドット数が増加すると、レイアウトされる単位画像中の表示要素は拡大する。
【００４３】
一方、単位画素に含まれるピクセル数やドット数が減少すると、レイアウトされる単位画像中の表示要素は縮小する。
【００４４】
また、本発明の画像表示装置は、前記構成に加えて、前記画像部分特定手段は、前記第１表示形態で表示した表示画像における一点が指定された場合に、その一点を含む所定の大きさの領域を前記表示画像の一部分としても良い。
【００４５】
前記構成によれば、ユーザが表示させておきたいと考える情報が表示された領域に含まれる表示画像上の一点を指定するだけで、少なくともその一点を含む所定の大きさの領域に含まれる情報の表示形態の切り替えによる欠落を防止することができる。
【００４６】
その結果、表示画像上の一点を含む所定の大きさの領域に含まれる情報は、ユーザが表示させておきたいと考える情報の大部分が含まれると考えられるので、より効果的に表示させておきたい情報の表示形態の切り替えによる欠落を防止することができる。
【００４７】
また、本発明の画像表示装置は、前記構成に加えて、前記画像部分特定手段は、前記第１表示形態で表示した表示画像の一部の領域が指定された場合に、その一部の領域を前記表示画像の一部分としても良い。
【００４８】
前記構成によれば、ユーザが表示させておきたいと考える情報が表示された領域を含む表示画像上の一部の領域を指定するようにすれば、表示させておきたい情報の表示形態の切り替えによる欠落を完全に防止することができる。
【００４９】
また、本発明の画像表示装置は、前記構成に加えて、前記画像部分特定手段は、前記第１表示形態で表示した表示画像に含まれるオブジェクト上の一点又は前記オブジェクトの近傍の一点が指定された場合に、そのオブジェクトを含む領域を前記表示画像の一部分としても良い。
【００５０】
前記構成によれば、ユーザが表示させておきたいと考えるオブジェクトの表示形態の切り替えによる欠落を完全に防止することができる。
【００５１】
また、本発明の画像表示装置は、前記構成に加えて、前記第１表示形態で表示した表示画像において前記表示画面に対する前記単位画像の回転中心を指定する回転中心指定手段を備えており、前記画像抽出手段は、前記回転中心指定手段が前記第１表示形態で表示した表示画像において指定した回転中心を中心として前記単位画像を回転させた後の画像から、前記第２表示形態で表示する表示画像を抽出しても良い。
【００５２】
前記構成によれば、回転中心指定手段は、前記第１表示形態で表示した表示画像において前記表示画面に対する前記単位画像の回転中心を指定し、画像抽出手段は、前記第２表示形態で表示する表示画像を、前記回転中心を中心として、前記単位画像を回転させた後の画像から抽出するようになっている。
【００５３】
一般に、単位画像の回転中心と、第１表示形態で表示した表示画像の一部との距離が大きい場合、回転操作により、第１表示形態で表示した表示画像の一部と、第２表示形態で表示される表示画像とのデータ上の距離が大きく広がってしまう可能性がある。
【００５４】
しかしながら、以上の構成によれば、第１表示形態から第２表示形態への変更の際に、回転操作が含まれるような場合でも、回転操作により第１表示形態で表示された表示画像の一部（又はユーザが表示させておきたいと考える情報）と、第２表示形態で表示される表示画像とのデータ上の距離が大きく広がってしまうことを防止することができる。
【００５５】
また、表示画面を抽出するときに複雑なアルゴリズムが不要となる。
【００５６】
また、本発明の画像表示装置は、前記構成に加えて、前記回転中心指定手段が前記第１表示形態で表示した表示画像において前記回転中心を指定した場合に、その回転中心を含む所定の大きさの領域を前記表示画像の一部分としても良い。
【００５７】
これにより、例えば、ユーザが表示させておきたいと考える情報の近傍を回転中心として指定するようにすれば、回転操作によりユーザが表示させておきたいと考える情報と、第２表示形態で表示される表示画像とのデータ上の距離が大きく広がってしまうことをより効果的に防止することができる。
【００５８】
また、本発明の画像表示装置は、前記構成に加えて、前記単位画像に対する前記表示画像の抽出範囲の位置を調整しても良い。
【００５９】
これにより、前記単位画像に対する前記表示画像の抽出範囲の大きさを調整しなくても前記単位画像に対する前記表示画像の抽出範囲の位置を調整することで、表示させておきたい情報の表示形態の切り替えによる欠落を防止することができる。
【００６０】
また、本発明の画像表示装置は、前記構成に加えて、前記抽出範囲調整手段は、前記単位画像に対する前記表示画像の抽出範囲の大きさを調整しても良い。
【００６１】
これにより、前記単位画像に対する前記表示画像の抽出範囲の位置を調整しなくても、前記単位画像に対する前記表示画像の抽出範囲の大きさを調整することで、表示させておきたい情報の表示形態の切り替えによる欠落を防止することができる。
【００６２】
なお、単位画像に対する前記表示画像の抽出範囲の大きさは、単位画像のレイアウトサイズを大きくしたり小さくしたりすることで単位画像に対して相対的に変化する。
【００６３】
すなわち、表示画像が表示される表示画面（又は表示領域）の大きさが固定されている場合、単位画像のレイアウトサイズを大きくすると、表示画像の抽出範囲の大きさは小さくなり、単位画像のレイアウトサイズを小さくすると、表示画像の抽出範囲の大きさは大きくなる。
【００６４】
また、抽出範囲調整手段は、前記単位画像に対する前記表示画像の抽出範囲の位置及び前記抽出範囲の大きさの両方を調整しても良い。
【００６５】
これにより、前記単位画像に対する前記表示画像の抽出範囲の大きさのみ又は抽出範囲の位置のみを調整する場合と比較して、抽出位置の調整の自由度が向上するので、より効果的に表示させておきたい情報の表示形態の切り替えによる欠落を防止することができる。
【００６６】
また、本発明の画像表示装置は、前記構成に加えて、前記抽出範囲の大きさを調整する場合の最小閾値及び最大閾値の少なくとも一方が設定されていても良い。
【００６７】
前記構成によれば、抽出範囲の大きさが、最大閾値を超えないようにすることで、単位画像のレイアウトサイズを小さくしすぎてユーザが表示させておきたい情報を視認できなくなってしまうことを防止することができる。
【００６８】
また、抽出範囲の大きさが、最小閾値を超えないようにすることで、レイアウトサイズを大きくしすぎてユーザが表示させておきたい情報が表示画面（又は表示領域）からはみ出してしまうことを防止することができる。
【００６９】
なお、閾値の設定は、表示画面（又は表示領域）の大きさやユーザの視覚に応じて適切な値を設定すれば良い。
【００７０】
また、抽出範囲調整手段は、抽出範囲の大きさが、最大閾値及び最小閾値の少なくとも一方を超える場合は、抽出範囲の位置のみを変更するようにしても良い。
【００７１】
これにより、単位画像のレイアウトサイズが大きくなり過ぎたり、小さくなり過ぎたりすることを防止しつつ、より効果的に表示させておきたい情報の表示形態の切り替えによる欠落を防止することができる。
【００７２】
また、本発明の画像表示装置は、前記構成に加えて、前記表示画面において前記表示画像が表示される表示領域を設定する表示領域設定手段を備えていても良い。
【００７３】
これにより、表示領域の大きさを任意に設定することで、表示画面上で表示画像が表示される領域の大きさを任意に変更することができる。
【００７４】
なお、表示領域設定手段は、第１表示形態で表示される表示領域の大きさと第２表示形態で表示される表示領域の大きさを同じ大きさに設定しても良いし、異なる大きさに設定しても良い。
【００７５】
本発明の画像表示方法は、前記課題を解決するために、表示画面を用いた画像表示方法であって、画像処理の基本単位となる単位画像から前記表示画面に表示する表示画像を抽出する第１画像抽出ステップと、前記第１画像抽出ステップで抽出した表示画像を、第１表示形態で前記表示画面に表示する第１表示ステップと、前記第１表示ステップで、前記第１表示形態で表示した表示画像の一部分を特定する画像部分特定ステップと、前記第１表示形態を第２表示形態に変更する表示形態変更ステップと、前記表示形態変更ステップで変更した第２表示形態で表示する表示画像が、前記画像部分特定ステップで特定した前記第１表示形態で表示した表示画像の一部分を包含するか否かを判定する包含判定ステップと、前記包含判定ステップの判定結果に応じて、前記第２表示形態で表示する表示画像が、前記第１表示形態で表示した表示画像の一部分を包含するように、前記単位画像から表示画像を抽出する抽出範囲を調整する抽出範囲調整ステップと、前記抽出範囲調整ステップで調整した抽出範囲で前記単位画像から表示画像を抽出する第２表示画像抽出ステップと、前記第２表示画像抽出ステップで抽出した表示画像を前記第２表示形態で前記表示画面に表示する第２表示ステップとを含んでいることを特徴とする。
【００７６】
前記方法によれば、第１画像抽出ステップで、画像処理の基本単位となる単位画像から前記表示画面に表示する表示画像を抽出し、第１表示ステップで、抽出した表示画像を、第１表示形態で前記表示画面に表示する。
【００７７】
これにより、単位画像から抽出された表示画像を前記表示画面に表示させることができる。
【００７８】
また、画像部分特定ステップでは、前記第１表示ステップで表示した表示画像の一部分を特定するようになっている。
【００７９】
これにより、例えば、ユーザが表示させておきたいと考える情報の近傍を指定し、指定された近傍から表示画像の一部分を特定するようにすれば、ユーザが表示させておきたいと考える情報を含む表示画像の一部分を特定することができる。
【００８０】
前記方法によれば、表示形態変更ステップで前記第１表示形態を第２表示形態に変更し、包含判定ステップで変更した第２表示形態で表示する表示画像が、前記画像部分特定ステップで特定した表示画像の一部分を包含するか否かを判定するようになっている。
【００８１】
これにより、第１表示形態で表示された表示画像上で特定された表示画像の一部分を、第２表示形態で表示する表示画像が包含するか否かを判別することができる。
【００８２】
前記方法によれば、抽出範囲調整ステップでは、包含判定ステップの判定結果に応じて、第２表示形態で表示する表示画像が、第１表示形態で表示した表示画像の一部分を包含するように、単位画像に対する表示画像の抽出範囲を調整し、第２画像抽出ステップでは、調整した抽出範囲で単位画像から表示画像を抽出し、第２表示ステップでは、抽出した表示画像を前記第２表示形態で前記表示画面に表示するようになっている。
【００８３】
これにより、包含判定ステップの判定結果に応じて、第２表示形態で表示する表示画像が、第１表示形態で表示した表示画像の一部分を包含するように調整した抽出範囲で抽出した表示画像を第２表示形態で表示画面に表示することができる。
【００８４】
以上によれば、例えば、ユーザが表示させておきたいと考える情報を含む表示画像の一部分を第２表示形態で表示画面に表示することができる。
【００８５】
よって、表示させておきたい情報の表示形態の切り替えによる欠落を防止することができる。
【００８６】
また、副次的効果として、表示形態の切り替え後に欠落した情報と、表示画面に表示中の表示画像とのデータ上の距離が大きく広がってしまうことを防止することができるので、欠落した情報を探し出すのも容易であるとの効果が得られる。
【００８７】
なお、前記画像表示装置及び前記画像表示方法における各手段、各機能、各処理、並び、各ステップ及び各工程のそれぞれは、コンピュータによって実現してもよく、この場合には、コンピュータを前記画像表示装置の各手段として動作させ、コンピュータに前記画像表示装置の各機能を実現させ、若しくはコンピュータに前記画像表示装置の各処理、前記画像表示方法の各ステップ又は各工程を実行させることにより前記画像表示装置及び前記画像表示方法を、コンピュータにて実現させる画像表示プログラム及びそれを記録したコンピュータ読み取り可能な記録媒体も、本発明の範疇に入る。
【発明の効果】
【００８８】
本発明の画像表示装置は、以上のように、画像処理の基本単位となる単位画像から前記表示画面に表示する表示画像を抽出する画像抽出手段と、前記画像抽出手段が抽出した表示画像を、所定の表示形態で前記表示画面に表示する表示制御手段と、前記表示制御手段が第１表示形態で表示した表示画像の一部分を特定する画像部分特定手段と、前記第１表示形態を第２表示形態に変更する表示形態変更手段と、前記表示形態変更手段が変更した第２表示形態で表示する表示画像が、前記画像部分特定手段が特定した前記第１表示形態で表示した表示画像の一部分を包含するか否かを判定する包含判定手段と、前記包含判定手段の判定結果に応じて、前記第２表示形態で表示する表示画像が、前記第１表示形態で表示した表示画像の一部分を包含するように、前記単位画像に対する前記表示画像の抽出範囲を調整する抽出範囲調整手段とを備えており、前記表示制御手段は、前記抽出範囲調整手段が調整した抽出範囲で前記画像抽出手段が抽出した表示画像を、前記第２表示形態で前記表示画面に表示するものである。
【００８９】
本発明の画像表示方法は、以上のように、画像処理の基本単位となる単位画像から前記表示画面に表示する表示画像を抽出する第１画像抽出ステップと、前記第１画像抽出ステップで抽出した表示画像を、第１表示形態で前記表示画面に表示する第１表示ステップと、前記第１表示ステップで、前記第１表示形態で表示した表示画像の一部分を特定する画像部分特定ステップと、前記第１表示形態を第２表示形態に変更する表示形態変更ステップと、前記表示形態変更ステップで変更した第２表示形態で表示する表示画像が、前記画像部分特定ステップで特定した前記第１表示形態で表示した表示画像の一部分を包含するか否かを判定する包含判定ステップと、前記包含判定ステップの判定結果に応じて、前記第２表示形態で表示する表示画像が、前記第１表示形態で表示した表示画像の一部分を包含するように、前記単位画像に対する前記表示画像の抽出範囲を調整する抽出範囲調整ステップと、前記抽出範囲調整ステップで調整した抽出範囲で前記単位画像から表示画像を抽出する第２表示画像抽出ステップと、前記第２表示画像抽出ステップで抽出した表示画像を前記第２表示形態で前記表示画面に表示する第２表示ステップとを含んでいる方法である。
【００９０】
それゆえ、表示させておきたい情報の表示形態の切り替えによる欠落を防止するという効果を奏する。
【図面の簡単な説明】
【００９１】
【図１】本発明における画像表示装置の実施の一形態の主要部の構成を示すブロック図である。
【図２】前記画像表示装置における全体の概要構成を示すブロック図である。
【図３】前記画像表示装置に関し、画像、表示画像の抽出範囲及び表示画像に含まれるオブジェクトのそれぞれの関係を示す模式図である。
【図４】（ａ）はレイアウトのアスペクト比の一例を示す模式図であり、（ｂ）は、レイアウトのアスペクト比の一例を示す模式図であり、（ｃ）は、表示画面に対する回転前後の画像の様子を示す模式図である。
【図５】前記画像表示装置における動作の一例を示すフローチャートである。
【図６】前記画像表示装置における動作の他の例を示すフローチャートである。
【図７】前記画像表示装置における動作のさらに他の例を示すフローチャートである。
【図８】前記画像表示装置における動作のさらに他の例を示すフローチャートである。
【図９】前記画像表示装置の表示画面の表示形態の一例を示す模式図であり、（ａ）部分は、画像表示装置の筐体の状態の一例（縦画面表示）を示し、（ｂ）部分は、表示画面に表示されている表示画像の一例を示している。
【図１０】前記画像表示装置の表示画面の表示形態の一例を示す模式図であり、（ａ）部分は、画像表示装置の筐体の状態の他の例（横画面表示：回転動作後）を示し、（ｂ）部分は、表示画面に表示されている表示画像の一例を示し、（ｃ）部分は、表示画面に表示されている表示画像の他の例を示している。
【図１１】前記画像表示装置の表示画面の表示形態の他の例（縦画面表示）を示す模式図である。
【図１２】前記画像表示装置の表示画面の表示形態の他の例（ソフトキー領域表示機能あり）を示す模式図であり、（ａ）部分は、表示画面に表示されている表示画像の一例を示し、（ｂ）部分は、表示画面に表示されている表示画像の他の例を示している。
【図１３】前記画像表示装置の表示画面の表示形態のさらに他の例（横画面表示）を示す模式図である。
【図１４】前記画像表示装置の表示画面の表示形態のさらに他の例（複数のアプリケーションの動作画面を同時に表示できる機能あり）を示す模式図であり、（ａ）部分は、表示画面に表示されている表示画像の一例を示し、（ｂ）部分は、表示画面に表示されている表示画像の他の例を示している。
【発明を実施するための形態】
【００９２】
以下、本発明の一実施の形態について、図面を参照しながら説明する。説明の便宜上、図面に示した部材と同一の機能を有する部材については、同一の符号を付し、その説明を省略する。
【００９３】
〔１．画像表示装置の構成〕
まず、図１、図２、図３、図４の（ａ）部分〜（ｃ）部分、図９の（ａ）部分、図１０の（ａ）部分、図１１、図１３、図１２の（ａ）部分及び図１４の（ａ）部分に基づき、本発明の一実施形態である携帯端末装置（画像表示装置）１の構成について説明する。
【００９４】
なお「携帯端末装置」とは、少なくとも１つ以上の通信機能をもつ携帯端末（通信方式は、ＣＤＭＡ（Code Division Multiple Access）方式など既存のキャリア網以外の通信方式でも良い）の意義であり、携帯電話サイズの通信機能付きＰＣ（パーソナル・コンピュータ）、例えば、ＩＰ（Internet Protocol）通信しか出来ない携帯ＰＣなども含まれる概念である。さらに、通信機能付きＡＶ機器（ナビシステム等含む）なども包含する概念である。
【００９５】
また、本実施形態においては、一般的に用いられている携帯端末装置１について説明するが、本発明はこのような形態に限られない。すなわち、画像表示装置＜ディスプレイ（表示画面）５＞及び入力装置（操作部６）をＰＣ（携帯端末装置１の制御部１０などと同様の機能を備えるものとする）に接続し、通信部８を、モデム等を介してインターネット（通信ネットワーク９）に接続した形態であっても良い。
【００９６】
この場合は、本実施形態で説明する携帯端末装置１のディスプレイ５、操作部６が独立した装置としてＰＣのデータバスに接続されていると考えれば良い。
【００９７】
ここでは、まず、図２に基づき、本発明の一実施形態である携帯端末装置１の全体の概要構成を説明し、その後、図１に基づき、携帯端末装置１の主要部である制御部１０及び記憶部２の構成について説明する。
【００９８】
図１は、携帯端末装置１の主要部の構成を示すブロック図である。また、図２は、携帯端末装置１の全体の概要構成を示すブロック図である。
【００９９】
図２に示すように、携帯端末装置１は、記憶部２、センサ部３、音響部４、ディスプレイ５、操作部６、電源部７及び通信部８を備える装置である。
【０１００】
なお、携帯端末装置１は、通信部８を介して通信ネットワーク９に接続することが可能となっている。
【０１０１】
また、通信部８と通信ネットワーク９との通信形態としては、無線通信であっても良いし、有線通信であっても良い。なお、通信形態としては、電気信号を送受信する形態であっても良いし、光信号を送受信する形態であっても良い。
【０１０２】
通信形態の例としては、Ｂｌｕｅｔｏｏｔｈ（登録商標）、Ｆｅｌｉｃａ、ＰＬＣ（power line communication）、ＷｉｒｅｌｅｓｓＬＡＮ（無線ＬＡＮ：ＷＬＡＮ）、ＩｒＤＡ（赤外線無線）、ＩｒＳＳ（赤外線無線）、ＣＤＭＡ（Code Division Multiple Access）、Ｗ‐ＣＤＭＡ（Wideband-CDMA）、ＴＤＭＡ（time Division Multiple Access）、ＡＤＳＬ（asymmetric Digital Subscriber Line）及び光ファイバー通信などが例示できる。
【０１０３】
記憶部２は、ディスプレイ５における表示領域の設定、表示画像のレイアウトの決定、携帯端末装置１を構成する２つの筐体部であるディスプレイ側筐体部１５と操作部側筐体部１６（図９の（ａ）部分及び図１０の（ａ）部分参照）との開閉状態又は回転状態などのディスプレイ５の状態などに対応する複数の表示形態に応じた機能の実現等の処理を含む制御プログラム（画像表示プログラム）、その他のプログラムや各種データが記録される。
【０１０４】
記憶部２は、例えば、ＳＤＲＡＭ（Synchronous Dynamic Random-Access Memory）、保存用Ｆｌａｓｈメモリ及び実行用Ｆｌａｓｈメモリ及びメモリカード等の外部メモリなどで構成することができる。
【０１０５】
ＳＤＲＡＭは、作業エリアを構成し、保存用Ｆｌａｓｈメモリから読み出してローディングされたプログラムを実行し、演算処理や制御情報を生成する。実行用Ｆｌａｓｈメモリには各種データが格納され、データベース等が構築される。保存用Ｆｌａｓｈメモリには、ＯＳ（Operating System）や制御プログラム等の各種プログラムが格納される。
【０１０６】
また、簡単のため、記憶部２は、メモリカード等の外部メモリを接続できる図示しない外部メモリインタフェースと外部メモリとの組合せを含んでいるものとし、この外部メモリには、電話番号やメールアドレス等のアドレスデータ、各種コンテンツ等が格納されるものとする。
【０１０７】
記憶部２を構成する記録媒体としては、この他、磁気テープやカセットテープ等のテープ系、フロッピー（登録商標）ディスク／ハードディスク等の磁気ディスクやコンパクトディスク−ＲＯＭ／ＭＯ＜magneto optic disc＞／ＭＤ＜magnetic disk＞／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１０８】
センサ部３は、携帯端末装置１を構成するディスプレイ側筐体部１５と、操作部側筐体部１６との開閉状態や、操作部側筐体部１６に対するディスプレイ側筐体部１５の回転角などディスプレイ５の状態を検出するものである。
【０１０９】
音響部４は、スピーカ（図９の（ａ）部分参照）から音声を出力し、マイクロフォン（図９の（ａ）部分参照）から音声の取込み及び増幅等を行う。
【０１１０】
ディスプレイ５は、センサ部３からの検出信号から特定されるディスプレイ５の状態に応じて、所定の表示形態で表示画像を表示するものである。
【０１１１】
ディスプレイ５は、例えば、ＣＲＴ（cathode-ray tube）、液晶ディスプレイ、電気泳動型ディスプレイ、ツイストボール型ディスプレイ、微細なプリズムフィルムを用いた反射型ディスプレイ、デジタルミラーデバイス等の光変調素子を用いたディスプレイの他、発光素子として、有機ＥＬ発光素子、無機ＥＬ発光素子、ＬＥＤ（Light Emitting Diode）等の発光輝度が可変の素子を用いたディスプレイ、フィールドエミッションディスプレイ（ＦＥＤ）、プラズマディスプレイなどで構成する。
【０１１２】
また、携帯端末装置１は、操作部側筐体部１６に対するディスプレイ側筐体部１５の向きに応じてレイアウト比の異なる縦画面表示と、横画面表示との少なくとも２つの表示形態を、切り替えることが可能となっている（図９の（ａ）部分、図１０の（ａ）部分、図１１及び図１３参照）。
【０１１３】
また、縦画面表示を操作部側筐体部１６に対してディスプレイ側筐体部１５を時計周り又は反時計まわりに１８０度回転させたときに反転表示させたり、操作部側筐体部１６に対してディスプレイ側筐体部１５を時計周りに９０度回転させたときの横画面表示を、反時計周りに９０度回転させたときに反転表示させたりする表示形態を備えている。
【０１１４】
なお、操作部側筐体部１６に対するディスプレイ側筐体部１５の基準位置（例えば、図４の（ｃ）部分に示す座標ｒ１や図９の（ａ）部分に示すｙ軸の方向など）からの回転角を検出して該回転角に応じてディスプレイ５に表示される表示画像の向きを変更できるように構成しても良い。
【０１１５】
例えば、図４の（ｃ）部分は、単位画像の例としてＷｅｂページＷＰ４及びＷｅｂページＷＰ５の状態を概念的に示している。
【０１１６】
座標ｒ１は、ＷｅｂページＷＰ４の上向きの同径座標であり、座標ｒ２は、ＷｅｂページＷＰ５の上向きの同径座標である。
【０１１７】
ＷｅｂページＷＰ５が、ＷｅｂページＷＰ４に対して画像回転角θだけ回転している様子を示している。
【０１１８】
なお、画像回転角θに対して、操作部側筐体部１６に対するディスプレイ側筐体部１５の回転角（筐体回転角）は、−θで与えられる。
【０１１９】
また、携帯端末装置１は、ディスプレイ５の全領域を複数の表示領域に分割し、分割されたそれぞれの表示領域に異なる画像を表示させる表示形態も備えており、例えば、表示領域の１つを第１のアプリケーションソフト用とし、残りの表示領域の１つを第２のアプリケーションソフト用として、複数のアプリケーションソフトを同時に利用できるようになっている（図１２の（ａ）部分及び図１４の（ａ）部分参照）。
【０１２０】
操作部６は、複数のキー（図９の（ａ）部分参照）を備え、電話番号入力やメール文書作成のための文字入力等に用いられる。
【０１２１】
電源部７は、図示しないバッテリ、制御部１０によって制御されるバッテリ充電回路、安定化回路、電源制御回路等を備えており、通信部８等の各構成要素に給電する。
【０１２２】
通信部８は、音声通信又はメール等のデータ通信の送受信を、図示しないアンテナを通じて行い、音声やデータの変調処理、無線信号から音声やデータの復調処理等を行う。
【０１２３】
制御部１０は、記憶部２にあるプログラムを実行し、操作部６の入力、センサ部３の検出信号の取込み等、検出情報や制御情報の取込み、記憶部２の情報の読み書き、ディスプレイ５の画面制御等、各種の制御を行う。
【０１２４】
この場合、縦画面表示又は横画面表示について、各画面に対応する画面レイアウトの制御や、各画面に最適な機能を立ち上げ、縦画面表示に対応する機能では、主として縦長の縦画面の上下方向の広がりを利用してメニューリストの表示、データ一覧表示、電話履歴等の表示に用いる。
【０１２５】
また、横画面表示に対応する機能では、横長の横画面の幅方向の広がりを利用してカメラ画像のパノラマ表示や、英文テキスト表示、その加工、テレビジョン放送受信画面の展開等に用いる。
【０１２６】
通信ネットワーク９は、本実施形態では、無線電話回線網であるが、このような形態に限られない。
【０１２７】
例えば、本発明の画像表示装置の一実施形態として、画像表示装置及び入力装置をＰＣに接続し、通信部８を、モデムを介してインターネット（通信ネットワーク９）に接続した形態を採用した場合は、通信ネットワーク９は、インターネット、ＷＡＮ（Wide Area Network）及びＬＡＮ（Local Area Network）などで構成される。
【０１２８】
次に、図１に基づき、携帯端末装置１の主要部である制御部１０の各構成要素の詳細及び記憶部２に記録される主要な情報などについて説明する。
【０１２９】
図１に示すように、制御部１０は、主として画像処理部１１、指定画像特定部（画像部分特定手段）１２、表示画像生成部（表示制御手段）１３、表示制御部（表示制御手段）１４を備える構成である。
【０１３０】
ここで、図１、図３、図４の（ａ）部分〜（ｃ）部分、図９の（ａ）部分、図１０の（ａ）部分、図１１、図１３、図１２の（ａ）部分及び図１４の（ａ）部分に基づき、記憶部２に記憶されている各種情報について説明する。
【０１３１】
まず、図１に示すように、記憶部２には、主としてセンサ信号−ディスプレイ状態対応関係デーブル２１が記憶される記録領域、表示形態設定情報記憶部２２、画像記憶部２３などの記録領域を備えている。
【０１３２】
センサ信号−ディスプレイ状態対応関係デーブル２１は、センサ部３からの検出信号と、ディスプレイ５の状態との対応関係を示すテーブル情報であり、その内容については、本発明の本質とはあまり関係がないので、説明を省略する。
【０１３３】
表示形態設定情報記憶部２２には、主として表示領域設定情報２２１、レイアウト設定情報２２２及び画像方向決定用情報２２３が記録される。
【０１３４】
表示領域設定情報２２１は、ディスプレイ５の全領域を複数の表示領域に分割し、分割されたそれぞれの表示領域に異なる画像を表示させる所定の表示形態を設定するための情報である（図１２の（ａ）部分及び図１４の（ａ）部分参照）。
【０１３５】
レイアウト設定情報２２２は、単位画像のレイアウトサイズや、レイアウトのアスペクト比を設定するための情報であり、少なくとも縦画面表示用のレイアウトサイズと、横画面表示用のレイアウトサイズや、レイアウト比を設定するための情報が記録される。
【０１３６】
「単位画像」は、１ファイル、１フレーム及び１ページの画像など画像処理の基本単位となる画像のことであり、アナログ画像とデジタル画像の双方を含み、静止画像、動画像の１フレーム画像を含む。例えば、コンテンツ画像、アプリケーションソフトによる画像、メールやワープロソフトなどによるテキスト文書のページング形式の画像、Ｗｅｂページの画像、デジタルカメラのプレビュー画像などが例示できる。
【０１３７】
また、「単位画像」は、複数のファイルに分割された画像（分割画像）であっても良い。この場合は、複数の分割画像を結合した結合画像を１つの単位画像とみなして処理すれば、良い。
【０１３８】
なお、静止画像のデータ形式及びデータ圧縮方式に関する規約としては、ＧＩＦ形式＜米国CompuServe（登録商標）社が開発した画像データ形式＞やＪＰＥＧ形式（ＩＴＵ−Ｔ「国際電気通信連合電気通信標準化部門」とＩＳＯ「国際標準規格」によって標準技術として勧告された、フルカラー又はグレースケールの静止画の圧縮方式。なお、２００１年には、圧縮効率を高めたＪＰＥＧ２０００が規格化された。）、ＢＭＰ形式＜Ｗｉｎｄｏｗｓ（登録商標）の標準的な画像ファイル形式＞、ＰＩＣＴ形式＜米国Apple（登録商標）社が開発したＭａｃＯＳ（登録商標）で標準的に利用される画像ファイル形式＞などが例示できる。
【０１３９】
また、動画像のデータ形式及びデータ圧縮方式の規約としては、映像に関するＦｌａｓｈ＜マクロメディア（登録商標）が販売しているＷｅｂ用のアニメーション作成ソフト＞、ＭＰ４（MPEG-1 Audio Layer 4）、及びＭＰＥＧ２（ＩＴＵ−Ｔ「国際電気通信連合電気通信標準化部門」とＩＳＯ「国際標準規格」によって標準技術として勧告された、動画や音声を圧縮・伸張する規格。現在ＭＰＥＧ方式には、ビデオＣＤなどのメディアに使用されるＭＰＥＧ１、ＤＶＤや放送メディアに使用されるＭＰＥＧ２、ネットワーク配信、携帯端末向けのＭＰＥＧ４などがある。）などが例示できる。
【０１４０】
「レイアウトサイズ」とは、単位画像の単位画素に含まれるピクセル（画素）数やドット数を増減して単位画像を標本化の間隔を変更してレイアウトするときの単位画像のサイズのことである。
【０１４１】
単位画素に含まれるピクセル数やドット数が増加すると、レイアウトされる単位画像中の表示要素は拡大する。
【０１４２】
一方、単位画素に含まれるピクセル数やドット数が減少すると、レイアウトされる単位画像中の表示要素は縮小する。
【０１４３】
また、「レイアウトのアスペクト比」は、単位画像の横レイアウトサイズＬＸに対する縦レイアウトサイズＬＹの比又は単位画像の縦レイアウトサイズＬＹに対するの横レイアウトサイズＬＸの比である。
【０１４４】
なお、図４の（ａ）部分はレイアウトのアスペクト比の一例を示す模式図であり、図４の（ｂ）部分は、レイアウトのアスペクト比の一例を示す模式図である。
【０１４５】
図４の（ａ）部分に示すＷｅｂページＷＰ２は、図４の（ｂ）部分に示すＷｅｂページＷＰ３に対して縦長のアスペクト比となっている。
【０１４６】
すなわち、ＷｅｂページＷＰ２は、縦画面表示の一例を示し、ＷｅｂページＷＰ３は横画面表示の一例を示している。
【０１４７】
なお、「横レイアウトサイズＬＸ」は、単位画像の全体をレイアウトするときの横方向の総単位画素数で与えられる。
【０１４８】
一方、「縦レイアウトサイズＬＹ」は、単位画像の全体をレイアウトするときの縦方向の総単位画素数で与えられる。
【０１４９】
画像方向決定用情報２２３は、縦画面表示、横画面表示、縦画面表示を操作部側筐体部１６に対してディスプレイ側筐体部１５を時計周り又は反時計まわりに１８０度回転させたときの反転表示、操作部側筐体部１６に対してディスプレイ側筐体部１５を時計周りに９０度回転させたときの横画面表示、反時計周りに９０度回転させたときの横画面表示、及び操作部側筐体部１６に対するディスプレイ側筐体部１５の基準位置からの回転角に応じた画面表示（図４の（ｃ）部分参照）などを設定するための情報である。
【０１５０】
また、画像記憶部２３には、主として画像情報２３１及びオブジェクト位置情報２３２などが記憶される。
【０１５１】
画像情報２３１は、主として各画素の画素位置情報（座標情報）及び画素値情報などが記憶される。
【０１５２】
また、オブジェクト位置情報２３２は、単位画像に含まれるオブジェクトＯＢの単位画像上のデータ範囲などを特定するための位置情報が記憶される。
【０１５３】
次に、図１に基づき、携帯端末装置１の主要部である制御部１０の各構成要素の詳細について説明する。
【０１５４】
画像処理部１１は、図示のように、主としてディスプレイ状態特定部１１１、表示形態設定部（表示形態変更手段）１１２、抽出範囲決定／変更手段（抽出範囲調整手段）１１３、表示画像抽出部（画像抽出手段）１１４、包含関係判定部（包含判定手段）１１５及び結果データ記憶部１１６を備えるものである。
【０１５５】
ディスプレイ状態特定部１１１は、センサ部３の検出信号を受信し、記憶部２のセンサ信号−ディスプレイ状態対応関係デーブル２１を参照して、ディスプレイ５の状態を特定するものである。
【０１５６】
ディスプレイ５の状態は、ディスプレイ側筐体部１５と操作部側筐体部１６の開閉状態、操作部側筐体部１６に対するディスプレイ側筐体部１５の向きなどの状態のことである。
【０１５７】
表示形態設定部１１２は、ディスプレイ５に表示される表示画像の表示形態の設定を行うものであり、主として表示領域決定部（表示領域設定手段）１１２１、レイアウト決定部１１２２、画像方向決定部１１２３を備える。
【０１５８】
「表示形態」の例としては、ディスプレイ５に対して単位画像を任意の角度で回転させたときの画像表示、単位画像のレイアウトサイズを任意に変更したときの画像表示、アスペクト比が１でないディスプレイ５における縦画面表示や横画面表示、単位画像のアスペクト比を任意に変更した画像表示、ディスプレイ５上に設定される表示領域のアスペクト比を任意に変更した画像表示、表示領域のサイズを任意に変更した画像表示などの様々な表示形態が列挙できる。
【０１５９】
表示領域決定部１１２１は、主として操作部６を介してユーザが設定した表示領域や、複数のアプリケーションソフトを動作させたときに設定される表示領域を、表示領域設定情報２２１を参照して設定する。
【０１６０】
これにより、表示領域の大きさを任意に設定することで、ディスプレイ５上で表示画像が表示される領域の大きさを任意に変更することができる。
【０１６１】
なお、表示領域決定部１１２１は、第１表示形態で表示される表示領域の大きさと第２表示形態で表示される表示領域の大きさを同じ大きさに設定しても良いし、異なる大きさに設定しても良い。
【０１６２】
レイアウト決定部１１２２は、主として縦画面表示と横画面表示との単位画像のレイアウト比の設定や、単位画像のレイアウトサイズの設定を、レイアウト設定情報２２２を参照して行うものである。
【０１６３】
画像方向決定部１１２３は、操作部側筐体部１６に対するディスプレイ側筐体部１５の基準位置からの回転角に応じた画面表示の設定など、画像方向決定用情報２２３を参照してディスプレイ５に対する単位画像の画像方向の決定を行うものである。
【０１６４】
抽出範囲決定／変更手段１１３は、単位画像から前記表示画面に表示する表示画像を抽出するものである。
【０１６５】
具体的には、抽出範囲決定／変更手段１１３は、表示領域決定部１１２１が算出したディスプレイ５に設定されている表示領域のサイズに応じて、単位画像に対する表示画像の抽出範囲の大きさ・位置を決定する。
【０１６６】
ここで、「抽出」とは、単位画像から、その画像の一部のデータを引き出すことである。
【０１６７】
また、「抽出範囲」とは、表示画像が抽出される単位画像上の範囲のことである。
【０１６８】
表示画像抽出部１１４は、抽出範囲決定／変更手段１１３が決定又は変更した抽出範囲に応じて単位画像からディスプレイ５（又は表示領域）に表示する表示画像を抽出するものである。
【０１６９】
例えば、表示画像の抽出方法としては、単位画像が、１ファイル、１ページ、１フレームで構成されている場合は、表示領域のサイズに応じて単位画像上の座標を算出して、表示画像の抽出範囲を確定する。
【０１７０】
このとき、第１表示形態で表示される表示画像で指定領域ＰＲが指定されている場合には、第２表示形態で表示される表示画像に指定領域ＰＲが含まれるように単位画像に対する表示画像の抽出範囲の大きさ又は位置を調整する。
【０１７１】
次に、単位画像が、複数の分割画像で構成されている場合は、これら複数の分割画像を繋ぎ合わせた結合画像を１つの単位画像と考えれば良い。
【０１７２】
この場合、表示領域のサイズに応じて結合画像上の座標を算出して、表示画像の抽出範囲を確定する。
【０１７３】
なお、結合画像に含まれる分割画像の数を固定して、抽出範囲の位置の変化に応じて抽出範囲に含まれる分割画像を順次変更するようにしても良い。例えば、第１表示形態で表示される結合画像に含まれる分割画像内で指定領域ＰＲが指定されている場合に、指定領域ＰＲを含む分割画像を含むように第２表示形態で表示される結合画像（第１表示形態で表示される結合画像と大きさが等しいとする）を構成する分割画像を配列順序に従って選択し、指定領域ＰＲを含む分割画像と選択された分割画像で構成された結合画像を第２表示形態での表示画像としても良い。
【０１７４】
包含関係判定部１１５は、或る時点において第１表示形態で表示された表示画像において、後述する指定領域ＰＲが決定され、その後、表示形態が第１表示形態から第２表示形態に変更された場合に、第２表示形態で表示する表示画像が、指定領域ＰＲを包含するか否かを判定するものである。
【０１７５】
これにより、第１表示形態で表示された表示画像上で特定された指定領域ＰＲを、第２表示形態で表示する表示画像が包含するか否かを判別することができる。
【０１７６】
また、抽出範囲決定／変更手段１１３は、包含関係判定部１１５の判定結果に応じて、第２表示形態で表示する表示画像が、第１表示形態で表示した指定領域ＰＲを包含するように、単位画像に対する表示画像の抽出範囲を調整するようになっている。
【０１７７】
なお、単位画像に対する前記表示画像の抽出範囲の大きさは、単位画像のレイアウトサイズを大きくしたり小さくしたりすることで単位画像に対して相対的に変化する。
【０１７８】
「調整」は、抽出範囲を全く変更しない場合も含む。すなわち、包含関係判定部１１５が第２表示形態で表示する表示画像が、第１表示形態で表示した表示画像上の指定領域ＰＲを包含すると判定した場合には、抽出範囲決定／変更手段１１３は、抽出範囲を全く変更しなくても良い。
【０１７９】
一方、包含関係判定部１１５が第２表示形態で表示する表示画像が、第１表示形態で表示した表示画像上の指定領域ＰＲを包含しないと判定した場合には、抽出範囲決定／変更手段１１３は、抽出範囲を必ず変更するようにする。
【０１８０】
抽出範囲の変更方法としては、例えば、抽出範囲決定／変更手段１１３は、単位画像に対する表示画像の抽出範囲の位置を調整しても良い。
【０１８１】
これにより、単位画像に対する表示画像の抽出範囲の大きさを調整しなくても単位画像に対する表示画像の抽出範囲の位置を調整することで、表示させておきたい情報の表示形態の切り替えによる欠落を防止することができる。
【０１８２】
また、抽出範囲決定／変更手段１１３は、単位画像に対する表示画像の抽出範囲の大きさを調整しても良い。
【０１８３】
これにより、単位画像に対する表示画像の抽出範囲の位置を調整しなくても、単位画像に対する表示画像の抽出範囲の大きさを調整することで、表示させておきたい情報の表示形態の切り替えによる欠落を防止することができる。
【０１８４】
なお、単位画像に対する表示画像の抽出範囲の大きさは、単位画像のレイアウトサイズを大きくしたり小さくしたりすることで単位画像に対して相対的に変化する。
【０１８５】
すなわち、表示画像が表示されるディスプレイ５（又は表示領域）の大きさが固定されている場合、単位画像のレイアウトサイズを大きくすると、表示画像の抽出範囲の大きさは小さくなり、単位画像のレイアウトサイズを小さくすると、表示画像の抽出範囲の大きさは大きくなる。
【０１８６】
また、抽出範囲決定／変更手段１１３は、単位画像に対する表示画像の抽出範囲の位置及び抽出範囲の大きさの両方を調整しても良い。
【０１８７】
これにより、単位画像に対する表示画像の抽出範囲の大きさのみ又は抽出範囲の位置のみを調整する場合と比較して、抽出位置の調整の自由度が向上するので、より効果的に表示させておきたい情報の表示形態の切り替えによる欠落を防止することができる。
【０１８８】
なお、抽出範囲決定／変更手段１１３が抽出範囲の大きさを調整する場合には、抽出範囲の大きさに対して最小閾値及び最大閾値の少なくとも一方を設定しておくことが好ましい。
【０１８９】
これにより、単位画像に対する表示画像の抽出範囲の大きさが、最大閾値を超えないようにすることで、レイアウトサイズが小さくなりすぎてユーザが表示させておきたい情報を視認できなくなってしまうことを防止することができる。
【０１９０】
また、単位画像に対する表示画像の抽出範囲の大きさが、最小閾値を超えないようにすることで、レイアウトサイズが大きくなりすぎてユーザが表示させておきたい情報が表示画面からはみ出してしまうことを防止することができる。
【０１９１】
なお、閾値の設定は、ディスプレイ５（又は表示領域）の大きさやユーザの視覚に応じて適切な値を設定すれば良い。
【０１９２】
また、抽出範囲決定／変更手段１１３は、単位画像に対する表示画像の抽出範囲の大きさが、最大閾値及び最小閾値の少なくとも一方を超える場合は、抽出範囲の位置のみを変更するようにしても良い。
【０１９３】
これにより、レイアウトサイズが大きくなり過ぎたり、小さくなり過ぎたりすることを防止しつつ、より効果的に表示させておきたい情報の表示形態の切り替えによる欠落を防止することができる。
【０１９４】
次に、指定画像特定部１２は、ディスプレイ５に表示された表示画像上で、ユーザが操作部６を介して指定した指定位置Ｐに応じて指定領域ＰＲを決定するか、又はユーザが操作部６を介して指定した所定の大きさの領域を直接、指定領域ＰＲとするものである。
【０１９５】
指定画像特定部１２は、主として指定位置特定部１２１、オブジェクト存否判定部１２２、及び指定領域決定部１２３を備えている。
【０１９６】
指定位置特定部１２１は、ユーザが操作部６を介して指定した表示画像上の一点（指定位置Ｐ）の位置を特定するものである。
【０１９７】
なお、指定位置特定部（回転中心指定手段）１２１は、表示画像においてディスプレイ５に対する単位画像の回転中心Ｃ（図４の（ｃ）部分参照）を指定できるようになっており、表示画像抽出部１１４は、回転中心Ｃを中心として単位画像を回転させた後の画像から、表示画像を抽出しても良い。
【０１９８】
一般に、単位画像の回転中心Ｃと、第１表示形態で表示された表示画像における指定領域ＰＲとの距離が大きい場合、回転操作により、指定領域ＰＲと、第２表示形態で表示される表示画像とのデータ上の距離が大きく広がってしまう可能性がある。
【０１９９】
しかしながら、以上の構成によれば、第１表示形態から第２表示形態への変更の際に、回転操作が含まれるような場合でも、回転操作により第１表示形態で表示された指定領域ＰＲ（又はユーザが表示させておきたいと考える情報）と、第２表示形態で表示される表示画像とのデータ上の距離が大きく広がってしまうことを防止することができる。
【０２００】
また、表示画面を抽出するときに複雑なアルゴリズムが不要となる。
【０２０１】
オブジェクト存否判定部１２２は、指定位置特定部１２１が特定した指定位置Ｐの位置又はその近傍にオブジェクトが存在しているか否か判定するものである。
【０２０２】
指定領域決定部１２３は、表示された表示画像の一部分である指定領域ＰＲを決定するものである。
【０２０３】
指定領域決定部１２３は、表示画像上の指定位置Ｐが指定された場合に、指定位置Ｐを含む所定の大きさの領域を指定領域ＰＲとするようになっている。
【０２０４】
これにより、ユーザが表示させておきたいと考える情報が表示された領域に含まれる表示画像上の指定位置Ｐを指定するだけで、少なくともその指定位置Ｐを含む所定の大きさの領域（指定領域ＰＲ）に含まれる情報の表示形態の切り替えによる欠落を防止することができる。
【０２０５】
その結果、指定領域ＰＲに含まれる情報は、ユーザが表示させておきたいと考える情報の大部分が含まれると考えられるので、より効果的に表示させておきたい情報の表示形態の切り替えによる欠落を防止することができる。
【０２０６】
また、指定領域決定部１２３は、第１表示形態で表示した表示画像の一部の領域が指定された場合に、その一部の領域を指定領域ＰＲとするように構成しても良い。
【０２０７】
これにより、ユーザが表示させておきたいと考える情報が表示された領域を含む指定領域ＰＲを直接指定するようにすれば、表示させておきたい情報の表示形態の切り替えによる欠落を完全に防止することができる。
【０２０８】
また、指定領域決定部１２３は、指定位置特定部１２１が第１表示形態で表示した表示画像において回転中心Ｃを指定した場合に、その回転中心Ｃを含む所定の大きさの領域を指定領域ＰＲとしても良い。
【０２０９】
これにより、例えば、ユーザが表示させておきたいと考える情報の近傍を回転中心Ｃとして指定するようにすれば、回転操作によりユーザが表示させておきたいと考える情報と、第２表示形態で表示される表示画像とのデータ上の距離が大きく広がってしまうことをより効果的に防止することができる。
【０２１０】
表示画像生成部１３は、表示画像抽出部１１４が抽出した表示画像又は、その表示画像と別の表示画像を表示させる必要がある場合には、表示画像及び別の表示画像からディスプレイ５（複数の表示領域が存在している場合には、各表示領域）に表示する最終的な表示画像を生成するものである。
【０２１１】
表示制御部１４は、抽出範囲決定／変更手段１１３が調整した抽出範囲で表示画像抽出部１１４が抽出した表示画像を、第２表示形態でディスプレイ５（又は表示領域）に表示するものである。
【０２１２】
以上により、包含関係判定部１１５の判定結果に応じて、第２表示形態で表示する表示画像が、第１表示形態で表示した表示画像の指定領域ＰＲを包含するように調整した抽出範囲で抽出した表示画像を第２表示形態でディスプレイ５（又は表示領域）に表示することができる。
【０２１３】
以上によれば、例えば、ユーザが表示させておきたいと考える情報を含む表示画像の一部分を第２表示形態でディスプレイ５（又は表示領域）に表示することができる。
【０２１４】
よって、表示させておきたい情報の表示形態の切り替えによる欠落を防止することができる。
【０２１５】
また、副次的効果として、表示形態の変更後に欠落した情報と、ディスプレイ５（又は表示領域）に表示中の表示画像とのデータ上の距離が大きく広がってしまうことを防止することができるので、欠落した情報を探し出すのも容易である。
【０２１６】
次に、図３に基づき、単位画像、表示画像の抽出範囲及び表示画像に含まれるオブジェクトのそれぞれの関係などについて説明する。
【０２１７】
図３に示すＷｅｂページＷＰ１は、ページング形式のＷｅｂページの１ページ（単位画像）を示している。このＷｅｂページの１ページの画像が単位画像の一例である。
【０２１８】
よって、Ｗｅｂページの１ページの画像の縦方向の総画素数と横方向の総画素数とで、この単位画像のデータサイズが決まる。
【０２１９】
なお、「単位画像のアスペクト比」は、縦方向の総単位画素数に対する横方向の総単位画素数の比、又は、横方向の総単位画素数に対する縦方向の総単位画素数の比で与えられる。
【０２２０】
次に、点Ａ〜点Ｄで囲まれた抽出範囲ＤＲは、表示画像が抽出される抽出範囲を示している。
【０２２１】
また、点Ｅ〜点Ｈで囲まれたオブジェクトＯＢは、抽出範囲ＤＲに含まれるオブジェクトを示している。
【０２２２】
さらに、点Ｉ〜点Ｌで囲まれた指定領域（表示画像の一部分，表示画像の一部の領域，オブジェクトを含む領域，回転中心を含む領域）ＰＲは、ユーザがオブジェクトＯＢを指定したことによって設定される所定の大きさの領域である。
【０２２３】
なお、オブジェクトＯＢのユーザによる指定の仕方には、２通りあり、図３に示すようにオブジェクトＯＢ上の一点である指定位置（表示画像の一部分，表示画像における一点，オブジェクト上の一点）Ｐを指定する場合と、オブジェクトＯＢの近傍の一点を指定する場合がある。
【０２２４】
また、ユーザが上記２通りのいずれの方法で指定しても、オブジェクトＯＢを含む所定の大きさの領域を指定領域ＰＲとするように構成する。
【０２２５】
これにより、ユーザが表示させておきたいと考えるオブジェクトＯＢの表示形態の切り替えによる欠落を完全に防止することができる。
【０２２６】
〔２．画像表示装置の動作〕
次に、図１、図５〜８、図９の（ａ）部分及び図１０の（ａ）部分に基づき、携帯端末装置１の動作の具体例について説明する。
【０２２７】
以下の説明では、ユーザが初期設定の表示形態（第１表示形態）で表示された表示画面上で、指定位置Ｐを指定する場合について説明するが、このような指定方法に限られないことは上述したとおりである。
【０２２８】
また、初期設定の第１表示形態が縦画面表示（図９の（ａ）部分参照）であり、第２表示形態が横画面表示（図１０の（ａ）部分参照）である場合について説明するが、このような表示形態に限られないことも上述したとおりである。
【０２２９】
（２−１：画像表示装置の基本動作のフロー）
まず、図５に示すフローチャートのステップＳ１（以下、「ステップ」は省略する）では、ユーザが電源部７の電源を入れて携帯端末装置１のディスプレイ５を稼動状態にする。
【０２３０】
次に、図１に示すように、センサ部３は、ディスプレイ側筐体部１５と操作部側筐体部１６とが開状態であること、及び操作部側筐体部１６に対するディスプレイ側筐体部１５の向きが図９の（ａ）部分に示す状態であることを検出し、その検出信号をディスプレイ状態特定部１１１に送信する。
【０２３１】
次にディスプレイ状態特定部１１１は、検出信号を受信し、センサ信号−ディスプレイ状態対応関係デーブル２１を参照して、操作部側筐体部１６に対するディスプレイ側筐体部１５の向きが、図９の（ａ）部分に示す状態であることを特定する。
【０２３２】
次に、ディスプレイ状態特定部１１１は、操作部側筐体部１６に対するディスプレイ側筐体部１５の向きが、図９の（ａ）部分に示す状態であることを表示形態設定部１１２に通知する。
【０２３３】
次に、表示領域決定部１１２１は、ディスプレイ５に予め表示領域が設定されているか否かを確認し、複数の表示領域が設定されている場合は、その中から、所定の表示領域を決定する。なお、以下の説明では、特に断らない限り表示領域は設定されておらず、ディスプレイ５のサイズに応じて表示画像が表示されるものとする。
【０２３４】
次に、レイアウト決定部１１２２は、ディスプレイ状態特定部１１１から操作部側筐体部１６に対するディスプレイ側筐体部１５の向きが図９の（ａ）部分に示す状態であるとの通知を受け、レイアウト設定情報２２２に従って、単位画像のレイアウトを縦画面表示に設定する。
【０２３５】
次に、抽出範囲決定／変更手段１１３は、画像記憶部２３から読み出した単位画像から初期設定（第１表示形態）の抽出範囲を決定する。
【０２３６】
次に、表示画像抽出部１１４は、抽出範囲決定／変更手段１１３が決定した抽出範囲に従って画像記憶部２３から読み出した単位画像から表示画像を抽出する。
【０２３７】
次に、表示画像生成部１３は、表示画像抽出部１１４が抽出した表示画像の他、初期設定の表示画像で表示すべき画像を画像記憶部２３から読み出して、最終的な表示画像を生成し、生成した表示画像（生成表示画像）を表示制御部１４に送信する。
【０２３８】
表示制御部１４は、受信した生成表示画像をディスプレイ５に表示してＳ２に進む。
【０２３９】
Ｓ２では、ユーザが操作部６を介して表示画面上の指定位置Ｐを指定する。次に、指定位置特定部１２１は、ユーザが指定した指定位置Ｐの単位画像上の位置を特定し、その位置座標を指定領域決定部１２３に通知する。次に指定領域決定部１２３は、指定位置Ｐを含む所定の大きさの指定領域ＰＲを決定しＳ３に進む。
【０２４０】
Ｓ３では、ユーザが操作部側筐体部１６に対するディスプレイ側筐体部１５の向きを変更して図９の（ａ）部分に示す縦画面表示から図１０の（ａ）部分に示す横画面表示に表示形態を変更する。
【０２４１】
このとき、図１に示すように、センサ部３は、操作部側筐体部１６に対するディスプレイ側筐体部１５の向きの変化を検出し、その検出信号をディスプレイ状態特定部１１１に送信する。次に、ディスプレイ状態特定部１１１は、検出信号を受信し、センサ信号−ディスプレイ状態対応関係デーブル２１を参照して、操作部側筐体部１６に対するディスプレイ側筐体部１５の向きの変化を特定する。
【０２４２】
次に、ディスプレイ状態特定部１１１は、操作部側筐体部１６に対するディスプレイ側筐体部１５の向きの変化があったことを表示形態設定部１１２に通知する。
【０２４３】
次に、表示形態設定部１１２の表示領域決定部１１２１は、ディスプレイ５に予め表示領域が設定されているか否かを確認し、複数の表示領域が設定されている場合は、その中から、所定の表示領域を決定する。
【０２４４】
なお、以下の説明では、特に断らない限り表示領域は設定されておらず、ディスプレイ５のサイズに応じて表示画像が表示されるものとする。
【０２４５】
次に、レイアウト決定部１１２２は、ディスプレイ状態特定部１１１から操作部側筐体部１６に対するディスプレイ側筐体部１５の向きの変化があったことの通知を受け、レイアウト設定情報２２２に従って、単位画像のレイアウトを横画面表示（第２表示形態）に設定してＳ４に進む。
【０２４６】
Ｓ４では、抽出範囲決定／変更手段１１３は、画像記憶部２３から読み出した単位画像から横画面表示での抽出範囲を決定する。
【０２４７】
次に、表示画像抽出部１１４は、抽出範囲決定／変更手段１１３が決定した抽出範囲に従って画像記憶部２３から読み出した単位画像から表示画像を抽出する。
【０２４８】
次に、包含関係判定部１１５は、横画面表示での抽出範囲で抽出した表示画像に指定領域ＰＲが含まれるか否かを判定する。
【０２４９】
このとき、包含関係判定部１１５が横画面表示で表示する表示画像に指定領域ＰＲが含まれていないと判定した場合（図１０の（ｃ）部分参照）、その旨を抽出範囲決定／変更手段１１３に通知して「ＮＯ」となりＳ５に進む。
【０２５０】
次にＳ５では、抽出範囲決定／変更手段１１３が、横画面表示で表示する表示画像に指定領域ＰＲが含まれるように単位画像に対する表示画像の抽出範囲の大きさ及び／又は位置を変更してＳ６に進む。
【０２５１】
Ｓ６では、表示画像抽出部１１４が、画像記憶部２３から読み出した単位画像から変更された抽出範囲で表示画像を抽出する。
【０２５２】
次に、表示画像生成部１３は、表示画像抽出部１１４が抽出した表示画像の他、表示すべき画像を画像記憶部２３から読み出して、最終的な表示画像を生成し、生成した表示画像（生成表示画像）を表示制御部１４に送信する。
【０２５３】
表示制御部１４は、受信した生成表示画像をディスプレイ５に表示（図１０の（ｂ）部分参照）して「ＥＮＤ」となる。
【０２５４】
一方、Ｓ４で、包含関係判定部１１５が横画面表示で表示する表示画像に指定領域ＰＲが含まれていると判定した場合（図１０の（ｂ）部分参照）、その旨を抽出範囲決定／変更手段１１３に通知して「ＹＥＳ」となりＳ７に進む。
【０２５５】
Ｓ７では、抽出範囲決定／変更手段１１３は、初期設定の抽出範囲とする。
【０２５６】
表示画像抽出部１１４は、抽出範囲決定／変更手段１１３が決定した初期設定の抽出範囲に従って画像記憶部２３から読み出した単位画像から表示画像を抽出する。
【０２５７】
次に、表示画像生成部１３は、表示画像抽出部１１４が抽出した表示画像の他、表示すべき画像を画像記憶部２３から読み出して、最終的な表示画像を生成し、生成した表示画像（生成表示画像）を表示制御部１４に送信する。
【０２５８】
表示制御部１４は、受信した生成表示画像をディスプレイ５に表示（図１０の（ｂ）部分参照）して「ＥＮＤ」となる。
【０２５９】
（２−２：指定範囲の指定）
次に、図６に示すフローチャートでは、図５に示すＳ２からＳ２１に進むフローである。
【０２６０】
Ｓ２１では、指定位置特定部１２１が、ユーザによる入力が指定位置Ｐの指定か否かを確認し、指定位置Ｐの入力の場合は「ＹＥＳ」となりＳ２２に進む。
【０２６１】
Ｓ２２では、オブジェクト存否判定部１２２が、指定位置Ｐ又はその近傍にオブジェクトＯＢが存在しているか否かを確認し、オブジェクトＯＢが存在している場合には「ＹＥＳ」となりＳ２３に進む。
【０２６２】
Ｓ２３では、指定領域決定部１２３が、オブジェクトＯＢを含む所定の大きさの領域を指定領域ＰＲと決定してＳ３に進む。
【０２６３】
一方、Ｓ２１で指定位置特定部１２１が、ユーザによる入力が指定位置Ｐの指定か否かを確認し、指定位置Ｐの入力でない場合（所定の大きさの領域が指定された場合）は、「ＮＯ」となりＳ２４に進む。
【０２６４】
Ｓ２４では、指定領域決定部１２３が、ユーザが指定した所定の大きさの領域をそのまま指定領域ＰＲとしてＳ３に進む。
【０２６５】
次にＳ２２で、オブジェクト存否判定部１２２が、指定位置Ｐ又はその近傍にオブジェクトＯＢが存在しているか否かを確認し、オブジェクトＯＢが存在していない場合には「ＮＯ」となりＳ２５に進む。
【０２６６】
Ｓ２５では、指定領域決定部１２３が、指定位置Ｐを含む所定の大きさの領域を指定領域ＰＲとしてＳ３に進む。
【０２６７】
（２−３：画像の回転を含む場合の動作）
次に、図７に示すフローチャートのＳ１１では、ユーザが電源部７の電源を入れて携帯端末装置１のディスプレイ５を稼動状態にする。
【０２６８】
次に、図１に示すように、センサ部３は、ディスプレイ側筐体部１５と操作部側筐体部１６とが開状態であること、及び操作部側筐体部１６に対するディスプレイ側筐体部１５の向きが図９の（ａ）部分に示す状態であることを検出し、その検出信号をディスプレイ状態特定部１１１に送信する。
【０２６９】
次にディスプレイ状態特定部１１１は、検出信号を受信し、センサ信号−ディスプレイ状態対応関係デーブル２１を参照して、操作部側筐体部１６に対するディスプレイ側筐体部１５の向きが、図９の（ａ）部分に示す状態であることを特定する。
【０２７０】
次に、ディスプレイ状態特定部１１１は、操作部側筐体部１６に対するディスプレイ側筐体部１５の向きが、図９の（ａ）部分に示す状態であることを表示形態設定部１１２に通知する。
【０２７１】
次に、表示領域決定部１１２１は、ディスプレイ５に予め表示領域が設定されているか否かを確認し、複数の表示領域が設定されている場合は、その中から、所定の表示領域を決定する。なお、以下の説明では、特に断らない限り表示領域は設定されておらず、ディスプレイ５のサイズに応じて表示画像が表示されるものとする。
【０２７２】
次に、レイアウト決定部１１２２は、ディスプレイ状態特定部１１１から操作部側筐体部１６に対するディスプレイ側筐体部１５の向きが図９の（ａ）部分に示す状態であるとの通知を受け、レイアウト設定情報２２２に従って、単位画像のレイアウトを縦画面表示に設定する。
【０２７３】
次に、抽出範囲決定／変更手段１１３は、画像記憶部２３から読み出した単位画像から初期設定（第１表示形態）の抽出範囲を決定する。
【０２７４】
次に、表示画像抽出部１１４は、抽出範囲決定／変更手段１１３が決定した抽出範囲に従って画像記憶部２３から読み出した単位画像から表示画像を抽出する。
【０２７５】
次に、表示画像生成部１３は、表示画像抽出部１１４が抽出した表示画像の他、初期設定の表示画像で表示すべき画像を画像記憶部２３から読み出して、最終的な表示画像を生成し、生成した表示画像（生成表示画像）を表示制御部１４に送信する。
【０２７６】
表示制御部１４は、受信した生成表示画像をディスプレイ５に表示してＳ１２に進む。
【０２７７】
Ｓ１２では、ユーザが操作部６を介して表示画面上の指定位置Ｐ及び単位画像の回転中心Ｃを指定する（指定位置Ｐの指定を回転中心Ｃの指定とみなしても良い）。次に、指定位置特定部１２１は、ユーザが指定した指定位置Ｐの単位画像上の位置を特定し、その位置座標を指定領域決定部１２３に通知する。次に指定領域決定部１２３は、指定位置Ｐを含む所定の大きさの指定領域ＰＲを決定しＳ１３に進む。
【０２７８】
Ｓ１３では、ユーザがディスプレイ５の向きを変更して図４の（ａ）部分に示す座標ｒ１が鉛直方向に沿っている状態から座標ｒ２が鉛直方向に沿っている状態にする。
【０２７９】
このとき、図１に示すセンサ部３は、操作部側筐体部１６に対するディスプレイ側筐体部１５の向きの変化（筐体回転角「−θ」）を検出し、その検出信号をディスプレイ状態特定部１１１に送信する。次にディスプレイ状態特定部１１１は、検出信号を受信し、センサ信号−ディスプレイ状態対応関係デーブル２１を参照して、筐体回転角「−θ」の変化を特定する。
【０２８０】
次に、ディスプレイ状態特定部１１１は、筐体回転角「−θ」の変化があったことを表示形態設定部１１２に通知する。
【０２８１】
次に、表示形態設定部１１２の表示領域決定部１１２１は、ディスプレイ５に予め表示領域が設定されているか否かを確認し、複数の表示領域が設定されている場合は、その中から、所定の表示領域を決定する。
【０２８２】
なお、以下の説明では、特に断らない限り表示領域は設定されておらず、ディスプレイ５のサイズに応じて表示画像が表示されるものとする。
【０２８３】
次に、レイアウト決定部１１２２は、レイアウト設定情報２２２に従って、単位画像のレイアウトを初期設定の縦画面表示に設定する。
【０２８４】
次に、画像方向決定部１１２３は、指定位置特定部１２１によって回転中心Ｃが指定されたこと及びディスプレイ状態特定部１１１によって筐体回転角「−θ」の変化があったことの通知を受けて、単位画像をディスプレイ５に対して画像回転角θだけ回転させてＳ１４に進む。
【０２８５】
Ｓ１４では、抽出範囲決定／変更手段１１３は、画像方向決定部１１２３が画像回転角θだけ回転させた回転後の単位画像から縦画面表示での抽出範囲を決定する。
【０２８６】
次に、表示画像抽出部１１４は、抽出範囲決定／変更手段１１３が決定した抽出範囲に従って画像記憶部２３から読み出した単位画像から表示画像を抽出する。
【０２８７】
次に、包含関係判定部１１５は、横画面表示での抽出範囲で抽出した表示画像に指定領域ＰＲが含まれるか否かを判定する。
【０２８８】
このとき、包含関係判定部１１５が横画面表示で表示する表示画像に指定領域ＰＲが含まれていないと判定した場合、その旨を抽出範囲決定／変更手段１１３に通知して「ＮＯ」となりＳ１５に進む。
【０２８９】
次にＳ１５では、抽出範囲決定／変更手段１１３が、横画面表示で表示する表示画像に指定領域ＰＲが含まれるように抽出範囲の位置を変更してＳ１６に進む。
【０２９０】
Ｓ１６では、表示画像抽出部１１４が、画像記憶部２３から読み出した回転後の単位画像から変更された抽出範囲で表示画像を抽出する。
【０２９１】
次に、表示画像生成部１３は、表示画像抽出部１１４が抽出した表示画像の他、表示すべき画像を画像記憶部２３から読み出して、最終的な表示画像を生成し、生成した表示画像（生成表示画像）を表示制御部１４に送信する。
【０２９２】
表示制御部１４は、受信した生成表示画像をディスプレイ５に表示して「ＥＮＤ」となる。
【０２９３】
一方、Ｓ１４で、包含関係判定部１１５が縦画面表示で表示する表示画像に指定領域ＰＲが含まれていると判定した場合、その旨を抽出範囲決定／変更手段１１３に通知して「ＹＥＳ」となりＳ１７に進む。
【０２９４】
Ｓ１７では、抽出範囲決定／変更手段１１３は、回転後の単位画像上で、初期設定の抽出範囲とする。
【０２９５】
表示画像抽出部１１４は、抽出範囲決定／変更手段１１３が決定した初期設定の抽出範囲に従って画像記憶部２３から読み出した回転後の単位画像から表示画像を抽出する。
【０２９６】
次に、表示画像生成部１３は、表示画像抽出部１１４が抽出した表示画像の他、表示すべき画像を画像記憶部２３から読み出して、最終的な表示画像を生成し、生成した表示画像（生成表示画像）を表示制御部１４に送信する。
【０２９７】
表示制御部１４は、受信した生成表示画像をディスプレイ５に表示（図１０の（ｂ）部分参照）して「ＥＮＤ」となる。
【０２９８】
（２−４：抽出範囲の変更）
次に、図８に示すフローチャートでは、図５のＳ４又は図７のＳ１４からＳ３１に進む。
【０２９９】
Ｓ３１では、抽出範囲決定／変更手段１１３は、予め定められている抽出範囲の変更方法を確認し、単位画像のレイアウトサイズの変更で単位画像に対する表示画像の抽出範囲を変更する場合には「ＹＥＳ」となりＳ３２に進む。
【０３００】
次にＳ３２では、抽出範囲決定／変更手段１１３は、ユーザが操作部６を介して変更後レイアウトサイズを入力する。
【０３０１】
次に、抽出範囲決定／変更手段１１３は、変更後のレイアウトサイズが、不等式「最小閾値＜変更後のレイアウトサイズ＜最大閾値」を満たしているか否かを確認し、満たしている場合は、「ＹＥＳ」となり図５のＳ５又は図７のＳ１５に進む。
【０３０２】
一方、Ｓ３２で、変更後のレイアウトサイズが、不等式「最小閾値＜変更後のレイアウトサイズ＜最大閾値」を満たしていない場合は、「ＮＯ」となりＳ３３に進む。
【０３０３】
Ｓ３３では、抽出範囲決定／変更手段１１３は、レイアウトサイズの変更は行わず、指定領域ＰＲが含まれるように単位画像に対する表示画像の抽出範囲の位置を平行移動して図５のＳ６又は図７のＳ１６に進む。
【０３０４】
次に、Ｓ３１で抽出範囲決定／変更手段１１３は、予め定められている抽出範囲の変更方法を確認し、単位画像のレイアウトサイズの変更で抽出範囲を変更しない場合には「ＮＯ」となりＳ３４に進む。
【０３０５】
次に、Ｓ３４で、抽出範囲決定／変更手段１１３は、予め定められている抽出範囲の変更方法を確認し、単位画像のアスペクト比の変更で抽出範囲を変更する場合には「ＹＥＳ」となり図５のＳ５又は図７のＳ１５に進む。
【０３０６】
一方、Ｓ３４で、抽出範囲決定／変更手段１１３は、予め定められている抽出範囲の変更方法を確認し、単位画像のアスペクト比の変更で抽出範囲を変更しない場合には「ＮＯ」となりＳ３５に進む。
【０３０７】
Ｓ３５では、抽出範囲決定／変更手段１１３は、指定領域ＰＲが含まれるように単位画像に対する表示画像の抽出範囲の位置を平行移動して図５のＳ６又は図７のＳ１６に進む。
【０３０８】
〔３．表示形態の変更の具体的態様〕
次に、ディスプレイ５の表示形態について、図９の（ａ）部分〜図１４の（ｂ）部分を参照して説明する。
【０３０９】
まず、図９の（ａ）部分は、携帯端末装置１の筐体の状態の一例（縦画面表示：表示領域ＤＲ１）を示し、図９の（ｂ）部分は、ディスプレイ５に表示されている表示画像の一例を示している。
【０３１０】
図１０の（ａ）部分は、携帯端末装置１の筐体の状態の他の例（横画面表示：回転動作後：表示領域ＤＲ２）を示し、図１０の（ｂ）部分は、表示画面に表示されている表示画像の一例を示し、図１０の（ｃ）部分は、表示画面に表示されている表示画像の他の例を示している。
【０３１１】
図９の（ｂ）部分では、縦画面表示（第１表示形態）での表示画像でオブジェクトＯＢ上の指定位置Ｐが指定された場合を示しており、図１に示す指定領域決定部１２３が、オブジェクトＯＢを含む破線で囲まれた領域を指定領域ＰＲに設定している様子を示している。
【０３１２】
図１０の（ａ）部分では、携帯端末装置１の筐体の状態が横画面表示（第２表示形態）に変更されている様子を示しており、ディスプレイ側筐体部１５Ｒは、操作部側筐体部１６に対して９０度右向きに回転している。
【０３１３】
図１０の（ｂ）部分は、本実施形態で説明した画像表示方法で、縦画面表示から横画面表示に変更されたときの状態を示しており、表示領域ＤＲ２は、指定領域ＰＲを含んでいる。
【０３１４】
一方、図１０の（ｃ）部分は、従来の画像表示方法で縦画面表示から横画面表示に変更されたときの状態を示しており、表示領域ＤＲ２は、指定領域ＰＲを含んでいない。
【０３１５】
次に、図１１は、携帯端末装置１のディスプレイ側筐体部１５のデザインを少し変更したディスプレイ５の縦画面表示（表示領域ＤＲ３）であり、図１３は、その横画面表示である。
【０３１６】
図１２の（ａ）部分及び（ｂ）部分は、それぞれ図１１のディスプレイ５の一部の領域にソフトキー領域が設定された状態を示している。
【０３１７】
図１２の（ａ）部分は、従来の画像表示方法で事後的にソフトキー領域が設定された様子を示しており、表示領域ＤＲ４は、指定領域ＰＲを含んでいない。
【０３１８】
一方、図１２の（ｂ）部分は、本実施形態で説明した画像表示方法で、事後的にソフトキー領域が設定された様子を示しており、表示領域ＤＲ４は、指定領域ＰＲを含んでいる。
【０３１９】
次に、図１３は、携帯端末装置１のディスプレイ側筐体部１５のデザインを少し変更したディスプレイ５の横画面表示（表示領域ＤＲ５）である。
【０３２０】
図１２の（ａ）部分及び（ｂ）部分は、それぞれ図１３のディスプレイ５の一部の領域に別のソフトウェアの動作画面が設定された状態を示している。
【０３２１】
図１４の（ａ）部分は、従来の画像表示方法で事後的に別のソフトウェアの動作画面が設定された様子を示しており、表示領域ＤＲ６は、指定領域ＰＲを含んでいない。
【０３２２】
一方、図１４の（ｂ）部分は、本実施形態で説明した画像表示方法で、事後的に別のソフトウェアの動作画面が設定された様子を示しており、表示領域ＤＲ６は、指定領域ＰＲを含んでいる。
【０３２３】
以上より、携帯端末装置１では、表示させておきたい情報の表示形態の切り替えによる欠落を防止することができる。
【０３２４】
〔３．まとめ〕
本発明のアウトラインを纏めると以下の通りである。
【０３２５】
１．本発明は、表示上の一部を指定可能な入力装置（入力部）を備え、複数の表示形態を持つ画像表示装置において、表示形態を切り替える場合に、表示を切り替えた後に、切り換える前に指定された領域が収まるように、位置を調整して表示するようにしても良く。これにより、画面切り替え時にユーザの表示嗜好を反映できる。
【０３２６】
２．また、特に、画像表示装置自体が回転動作する場合に、切り替え動作の回転中心を入力できるようにしても良く。より、具体的には、縦持ちと横持ちを切り替える事ができる携帯電話を用いて、画面サイズよりも大きい画像を閲覧する場合に、ユーザが指定した点を回転中心として画面を切り替えるようにする。これにより、レイアウト作成時に複雑なアルゴリズムが不要となる。
【０３２７】
３．また、入力装置（入力部）による指定として囲み範囲を採用しても良く、これにより、ユーザの複雑な要求が可能となる。
【０３２８】
４．また、元画像を縮小することで指定された領域が収まるように調整して表示しても良く。より具体的には、表示領域を自由に変更できる画像ビューアを用いて、表示領域をよりも大きい画像を閲覧する場合に、ユーザが指定した点を含むように、描画領域を小さくする。これにより、情報量を削減せずに済む。
【０３２９】
５．また、元画像を縮小する際の最小閾値を設定しても良く。これにより、認識できない画像表示を制限できる。
【０３３０】
最後に、携帯端末装置１の各ブロック、特に制御部１０は、ハードウェアロジックによって構成してもよいし、次のようにＣＰＵ（central processing unit）を用いてソフトウェアによって実現してもよい。
【０３３１】
すなわち、携帯端末装置１は、各機能を実現する制御プログラムの命令を実行するＣＰＵ、前記プログラムを格納したＲＯＭ、前記プログラムを展開するＲＡＭ、前記プログラムおよび各種データを格納するメモリ等の記憶装置（記録媒体）などを備えている。
【０３３２】
そして、本発明の目的は、上述した機能を実現するソフトウェアである携帯端末装置１の制御プログラムのプログラムコード（実行形式プログラム、中間コードプログラム、ソースプログラム）をコンピュータで読み取り可能に記録した記録媒体を、携帯端末装置１に供給し、そのコンピュータ（又はＣＰＵやＭＰＵ＜micro processing unit＞）が記録媒体に記録されているプログラムコードを読み出し実行することによっても、達成可能である。
【０３３３】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３３４】
また、携帯端末装置１を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。
【０３３５】
また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０３３６】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３３７】
本発明は、複数の表示形態で表示画像を表示する機能を有するものであれば、如何なる電子機器に適用することも可能である。具体的には、複数の表示形態で表示画像を表示する携帯端末装置や、ＰＣ（パーソナル・コンピュータ）に複数の表示形態で表示画像を表示するディスプレイと入力装置とを接続して構成した情報処理装置、これらの装置とサーバ装置とを通信ネットワークで接続して構成したシステムなどに広く適用することができる。
【符号の説明】
【０３３８】
１    携帯端末装置（画像表示装置）
２    記憶部
３    センサ部
４    音響部
５    ディスプレイ（表示画面）
６    操作部
７    電源部
８    通信部
９    通信ネットワーク
１０    制御部
１１    画像処理部
１２    指定画像特定部（画像部分特定手段）
１３    表示画像生成部（表示制御手段）
１４    表示制御部（表示制御手段）
１５    ディスプレイ側筐体部
１５Ｒ  ディスプレイ側筐体部
１６    操作部側筐体部
２１    センサ信号−ディスプレイ状態対応関係デーブル
２２    表示形態設定情報記憶部
２３    画像記憶部
１１１    ディスプレイ状態特定部
１１２    表示形態設定部（表示形態変更手段）
１１３    抽出範囲決定／変更手段（抽出範囲調整手段）
１１４    表示画像抽出部（画像抽出手段）
１１５    包含関係判定部（包含判定手段）
１１６    結果データ記憶部
１２１    指定位置特定部（回転位置指定手段）
１２２    オブジェクト存否判定部
１２３    指定領域決定部
２２１    表示領域設定情報
２２２    レイアウト設定情報
２２３    画像方向決定用情報
２３１    画像情報（画素位置情報，画素値情報）
２３２    オブジェクト位置情報
１１２１    表示領域決定部（表示領域設定手段）
１１２２    レイアウト決定部
１１２３    画像方向決定部
Ｃ    回転中心
θ    画像回転角
ＤＲ    抽出範囲
ＤＲ１〜６  表示領域
ＬＸ    横レイアウトサイズ
ＬＹ    縦レイアウトサイズ
ＯＢ    オブジェクト
Ｐ    指定位置（表示画像の一部分，表示画像における一点，オブジェクト上の一点）
ＰＲ    指定領域（表示画像の一部分，表示画像の一部の領域，オブジェクトを含む領域，回転中心を含む領域）
ｒ１，ｒ２  座標
ＷＰ１〜５  Ｗｅｂページ（単位画像）
【図１】
2010256832.tif 000003
【図２】
2010256832.tif 000004
【図３】
2010256832.tif 000005
【図４】
2010256832.tif 000006
【図５】
2010256832.tif 000007
【図６】
2010256832.tif 000008
【図７】
2010256832.tif 000009
【図８】
2010256832.tif 000010
【図９】
2010256832.tif 000011
【図１０】
2010256832.tif 000012
【図１１】
2010256832.tif 000013
【図１２】
2010256832.tif 000014
【図１３】
2010256832.tif 000015
【図１４】
2010256832.tif 000016